【誤訳訂正書】
【提出日】平成29年3月8日(2017.3.8)
【誤訳訂正１】
【訂正対象書類名】特許請求の範囲
【訂正対象項目名】全文
【訂正方法】変更
【訂正の内容】
【特許請求の範囲】
【請求項１】
ステントデバイスであって、
複数の反復湾曲区分によってそれぞれ形成される複数の概して円筒状のリングであって、前記複数の湾曲区分のそれぞれが、山、谷、および前記山と前記谷との間に延在する移行領域を備え、各湾曲区分は、前記移行領域上の前記山と前記谷との間の実質的に中間に中間点を有し、前記複数のリングが、長手方向軸に沿って直列に、前記直列の各リングの各湾曲区分の前記山および前記谷が、直接隣接するリングにおける対応する曲線区分の山および谷の実質的に鏡像であるように配列される、複数のリングと、
前記複数のリングのうちの１つを前記複数のリングのうちの前記１つのリングと隣接するリングと接続する複数の相互接続部材であって、前記複数の相互接続部材のそれぞれは、
第１の連結端と、
前記第１の連結端の反対側の第２の連結端と、
前記第１の連結端と前記第２の連結端との間に延在する伸長部分であって、前記第１の連結端、前記伸長部分、および前記第２の連結端は、第１の配向または第２の配向で組み合わさり、前記第２の配向は、前記第１の配向の実質的に鏡像である、伸長部分と、
を備える、複数の相互接続部材と、
前記ステントデバイスを被包する生体適合性材料カバーと
を備え、
前記第１の連結端は、前記複数のリングのうちの前記１つのリングの湾曲区分の前記移行領域の前記中間点と交差し、前記第２の連結端は、前記複数のリングのうちの前記直接隣接するリングの湾曲区分の前記中間点と交差し、
前記複数の相互接続部材は、前記デバイスに沿って長手方向に延在する列に配列され、
前記列のそれぞれに沿って、前記相互接続部材は、各連続する発生にて前記第１の配向と前記第２の配向とが交互になり、
前記複数の相互接続部材の少なくとも１つの伸長部分の中心幅は、前記相互接続部材の最大幅であり、前記連結端のうちの少なくとも１つの連結端の幅は、前記相互接続部材の最小幅である、ステントデバイス。
【請求項２】
前記複数の相互接続部材のそれぞれの前記第１の連結端および前記第２の連結端はそれぞれ、屈曲部を備える、請求項１に記載のデバイス。
【請求項３】
前記複数のリングのうちの任意の２つの隣接するリングの間にある相互接続部材の数は、前記複数のリングの各リング中の反復湾曲区分の数と等しい、請求項１または２のいずれかに記載のデバイス。
【請求項４】
前記複数の相互接続部材のそれぞれの前記第１の連結端および前記第２の連結端は、方位角によって整列される、請求項１〜３のいずれかに記載のデバイス。
【請求項５】
前記複数の相互接続部材のそれぞれの前記第１の連結端および前記第２の連結端は、円周方向に整列される、請求項１〜４のいずれかに記載のデバイス。
【請求項６】
前記複数のリングのそれぞれは、独立して、半径方向に拡張可能である、請求項１〜５のいずれかに記載のデバイス。
【請求項７】
前記複数の反復湾曲区分は、概して正弦波のパターンを形成する、請求項１〜６のいずれかに記載のデバイス。
【請求項８】
山−谷振幅は、前記複数のリングのそれぞれについて実質的に等しい、請求項１〜７のいずれかに記載のデバイス。
【請求項９】
山−谷振幅は、前記複数のリングのそれぞれについて測定された平均振幅の許容範囲内であり、前記許容範囲は、前記平均振幅の２０％、前記平均振幅の１５％、前記平均振幅の１０％、または前記平均振幅の５％である、請求項１〜７のいずれかに記載のデバイス。
【請求項１０】
前記複数の湾曲区分のそれぞれは、実質的に均一の幅を有する、請求項１〜８のいずれかに記載のデバイス。
【請求項１１】
前記複数の相互接続部材のうちの１つまたは複数は、実質的に均一の幅を有していない、請求項１〜１０のいずれかに記載のデバイス。
【請求項１２】
前記複数のリングは、非生分解性合金、ステンレス鋼、またはコバルトクロムのうちの１つまたは複数から構成される、請求項１〜１１のいずれかに記載のデバイス。
【請求項１３】
前記ステントデバイスが、被覆されて、動作可能な展開直径まで拡張された場合、前記デバイスは、約６％またはそれ未満、約３％またはそれ未満、約２％またはそれ未満、約１％またはそれ未満、あるいは約０％またはそれ未満の短縮を示す、請求項１〜１１のいずれかに記載のデバイス。
【請求項１４】
カバーを有する前記ステントデバイスは、動作可能な展開直径まで拡張されるときに約０％の短縮を示す、請求項１〜１２のいずれかに記載のデバイス。
【請求項１５】
カバーを有する前記ステントデバイスは、前記カバードステントが、１．６ｍｍの初期直径および５ｍｍの拡張直径を有するときに、約６．６％またはそれ未満の反跳を示す、請求項１〜１３のいずれかに記載のデバイス。
【請求項１６】
カバーを有する前記ステントデバイスは、前記カバードステントが、１．８ｍｍの初期直径および約７ｍｍの拡張直径を有するときに、約６．７％またはそれ未満の反跳を示す、請求項１〜１３のいずれかに記載のデバイス。
【請求項１７】
前記生体適合性材料カバーは、発泡ポリテトラフルオロエチレンから形成され、内層と外層とを備え、
前記カバードステントデバイスは、動作可能な展開直径に拡張されるときに約６％またはそれ未満の短縮を示す、請求項１に記載のステントデバイス。
【請求項１８】
ステントデバイスを製造する方法であって、前記方法は、
複数の反復湾曲区分によってそれぞれ形成される複数の概して円筒状のリングを提供することであって、前記複数の湾曲区分のそれぞれが、山、谷、および前記山と前記谷との間をつなげる移行領域を備え、各湾曲区分は、前記移行領域上の前記山と前記谷との間の実質的に中間に中間点を有し、前記複数のリングは、長手方向軸に沿って直列に、前記直列の各リングの各湾曲区分の前記山および前記谷が直接隣接するリングにおける対応する曲線区分の山および谷の実質的に鏡像であるように配列される、ことと、
複数の相互接続部材を提供することと、
を含み、
前記複数の相互接続部材はそれぞれ、
第１の連結端と、
前記第１の連結端の反対側の第２の連結端と、
前記第１の連結端と前記第２の連結端との間に延在する伸長部分であって、前記第１の連結端、前記伸長部分、および前記第２の連結端は、第１の配向、または前記第１の配向の実質的に鏡像である第２の配向で組み合わさる、伸長部分と、
を備え、
前記第１の連結端は、前記複数のリングのうちの１つのリングの湾曲区分の前記移行領域の前記中間点と交差し、前記第２の連結端は、前記複数のリングのうちの直接隣接する異なるリングの湾曲区分の前記中間点と交差し、
前記複数の相互接続部材は、前記デバイスに沿って長手方向に延在する列に配列され、
前記列のそれぞれに沿って、前記相互接続部材は、各連続する発生にて前記第１の配向と第２の配向とが交互になり、
前記複数の相互接続部材の少なくとも１つの伸長部分の中心幅は、前記相互接続部材の最大幅であり、前記連結端のうちの少なくとも１つの連結端の幅は、前記相互接続部材の最小幅である、方法。
【誤訳訂正２】
【訂正対象書類名】明細書
【訂正対象項目名】０００３
【訂正方法】変更
【訂正の内容】
【０００３】
狭窄血管またはその他の閉塞された通路を治療する一般的な方法は、拡張可能なプロテーゼまたはステントを用いることである。ステントは、標的部位に送達され、拡張されて、定位置に固定される。展開されて固定されたステントは、拡大された内腔空間を生成して、また、血管壁のさらなる増強を提供し、血液が通るために空けられた通路を維持する。ステントは、被覆されていても、被覆されていなくてもよい。いくつかのカバードステントは、生体適合性材料の層によって被包された一連の相互接続された金属リングを提供する。被覆されていないステント（「ベアメタルステント」と呼ばれる）では、一連の相互接続された金属リングは、血管に直接露出されており、いずれの種のカバーをも含まない。
【誤訳訂正３】
【訂正対象書類名】明細書
【訂正対象項目名】０００７
【訂正方法】変更
【訂正の内容】
【０００７】
図１の実施例では、相互接続部材１１６のそれぞれは、「ダウン−アップ」構成または「アップ−ダウン」構成のいずれかである。これは、多くの既知のステントについての従来の一般的設計である。さらに、図１の例示ステント１１０では、任意の単一のリング１１２中の反復湾曲区分１２２の数に比べて、任意の２つの隣接するリング１１２の間に設けられる相互接続部材１１６は、半分の数である。これもまた、既知のステントについて一般的な設計の特徴である。ステント１１０は、カバーを含む（明白にするために示されない）。カバーは、発泡ポリテトラフルオロエチレン（ｅＰＦＴＥ）等の生体適合性材料から構成することができる。
【誤訳訂正４】
【訂正対象書類名】明細書
【訂正対象項目名】００２７
【訂正方法】変更
【訂正の内容】
【００２７】
発明的な方法の側面によると、ステントデバイスは、約６％またはそれ未満の短縮を示す。より好ましくは、ステントデバイスは、第２の直径に拡張されたときに約３％またはそれ未満の短縮を示す。ステントデバイスはさらに、第２の直径に拡張されたときに約２％またはそれ未満の短縮を示してもよい。ステントデバイスはさらに、第２の直径に拡張されたときに約１％またはそれ未満の短縮を示してもよい。なおもさらに、ステントデバイスは、第２の直径に拡張されたときに約０％またはそれ未満の短縮を示してもよい。
本発明は、例えば、以下を提供する。
（項目１）
ステントデバイスであって、
複数の反復湾曲区分によってそれぞれ形成される複数の概して円筒状のリングであって、前記複数の湾曲区分のそれぞれが、山、谷、および前記山と前記谷との間に延在する移行領域を備え、各湾曲区分は、前記移行領域上の前記山と前記谷との間の実質的に中間に中間点を有し、前記複数のリングが、長手方向軸に沿って直列に、前記直列の各リングの各湾曲区分の前記山および前記谷が、直接隣接するリングにおける対応する曲線区分の山および谷の実質的に鏡像になるように配列される、複数のリングと、
前記複数のリングのうちの１つを前記複数のリングのうちの前記１つのリングと隣接するリングと接続する複数の相互接続部材であって、前記複数の相互接続部材のそれぞれは、
第１の連結端と、
前記第１の連結端の反対側の第２の連結端と、
前記第１の連結端と前記第２の連結端との間に延在する伸長部分であって、前記第１の連結端、前記伸長部分、および前記第２の連結端は、第１の配向または第２の配向で組み合わさり、前記第２の配向は、前記第１の配向の実質的に鏡像である、伸長部分と、
を備える、複数の相互接続部材と、
を備え、
前記第１の連結端は、前記複数のリングのうちの前記１つのリングの湾曲区分の前記移行領域の前記中間点と交差し、前記第２の連結端は、前記複数のリングのうちの前記直接隣接するリングの湾曲区分の前記中間点と交差し、
前記複数の相互接続部材は、前記デバイスに沿って長手方向に延在する列に配列され、
前記列のそれぞれに沿って、前記相互接続部材は、各連続する発生にて前記第１の配向と前記第２の配向とが交互になる、ステントデバイス。
（項目２）
前記複数の相互接続部材のそれぞれの前記第１の連結端および前記第２の連結端はそれぞれ、屈曲部を備える、項目１に記載のデバイス。
（項目３）
前記複数のリングのうちの任意の２つの隣接するリングの間にある相互接続部材の数は、前記複数のリングの各リング中の反復湾曲区分の数と等しい、項目１または２のいずれかに記載のデバイス。
（項目４）
３つの隣接するリングのセットを備え、そのうち第１のリングのセットは、中央リングおよび第２のリングを含み、前記第２のリングのセットは、前記中央リングおよび第３のリングを含み、前記複数のリングのうちの前記第１のリングのセットの間にある相互接続部材の数は、前記複数のリングのうちの前記第２のリングのセット内の反復湾曲区分の数と等しい、項目１〜３のいずれかに記載のデバイス。
（項目５）
前記複数の相互接続部材のそれぞれの前記第１の連結端および前記第２の連結端は、方位角によって整列される、項目１〜４のいずれかに記載のデバイス。
（項目６）
前記複数の相互接続部材のそれぞれの前記第１の連結端および前記第２の連結端は、円周方向に整列される、項目１〜５のいずれかに記載のデバイス。
（項目７）
前記複数のリングのそれぞれは、独立して、半径方向に拡張可能である、項目１〜６のいずれかに記載のデバイス。
（項目８）
前記複数のリングのそれぞれの前記独立した拡張性は、動作可能な展開直径と前記動作可能な展開直径よりも小さい初期直径との間の直径の範囲内で発生する、項目７に記載のデバイス。
（項目９）
前記複数の反復湾曲区分は、概して正弦波のパターンを形成する、項目１〜８のいずれかに記載のデバイス。
（項目１０）
山−谷振幅は、前記複数のリングのそれぞれについて実質的に等しい、項目１〜９のいずれかに記載のデバイス。
（項目１１）
山−谷振幅は、前記複数のリングのそれぞれについて測定された平均振幅の許容範囲内であり、前記許容範囲は、前記平均振幅の２０％、前記平均振幅の１５％、前記平均振幅の１０％、または前記平均振幅の５％である、項目１〜９のいずれかに記載のデバイス。
（項目１２）
前記複数の湾曲区分のそれぞれは、実質的に均一の幅を有する、項目１〜１０のいずれかに記載のデバイス。
（項目１３）
前記複数の湾曲区分の全ては、実質的に同一の実質的に均一の幅を有する、項目１１に記載のデバイス。
（項目１４）
前記複数の相互接続部材のうちの１つまたはそれを上回るものは、実質的に均一の幅を有していない、項目１〜１２のいずれかに記載のデバイス。
（項目１５）
前記複数の湾曲区分のそれぞれは、前記複数の湾曲区分の平均厚さの許容範囲内の幅を有し、前記許容範囲は、前記平均厚さの２０％、前記平均厚さの１５％、前記平均厚さの１０％、または前記平均厚さの５％である、項目１〜１０のいずれかに記載のデバイス。
（項目１６）
前記複数の湾曲区分の全ては、前記複数の湾曲区分の全ての平均厚さの許容範囲内の幅を有し、前記許容範囲は、前記平均厚さの２０％、前記平均厚さの１５％、前記平均厚さの１０％、または前記平均厚さの５％である、項目１４に記載のデバイス。
（項目１７）
前記ステントデバイス上に設けられ、それによりカバードステントを形成するカバーをさらに備える、項目１〜１５のいずれかに記載のデバイス。
（項目１８）
前記カバーは、１つまたはそれを上回るカバー材料、１つまたはそれを上回るコーティング、または両方を備える、項目１６に記載のデバイス。
（項目１９）
前記カバーは、前記複数のリングの全体を被覆する、項目１６または１７に記載のデバイス。
（項目２０）
前記カバーは、発泡ポリテトラフルオロエチレン（ｅＰＴＦＥ）を含む、項目１６〜１８に記載のデバイス。
（項目２１）
前記複数のリングは、非生分解性合金、ステンレス鋼、またはコバルトクロムのうちの１つまたはそれを上回るものから構成される、項目１〜１９のいずれかに記載のデバイス。
（項目２２）
前記ステントデバイスが、被覆されて動作可能な展開直径まで拡張された場合、前記デバイスは、約６％またはそれ未満、約３％またはそれ未満、約２％またはそれ未満、約１％またはそれ未満、あるいは約０％またはそれ未満の短縮を示す、項目１〜２０のいずれかに記載のデバイス。
（項目２３）
カバーを有する前記ステントデバイスは、動作可能な展開直径まで拡張されるときに約０％の短縮を示す、項目１〜２１のいずれかに記載のデバイス。
（項目２４）
カバーを有する前記ステントデバイスは、前記カバードステントが、１．６ｍｍの初期直径および５ｍｍの拡張直径を有するときに、約６．６％またはそれ未満の反跳を示す、項目１〜２２のいずれかに記載のデバイス。
（項目２５）
カバーを有する前記ステントデバイスは、前記カバードステントが、１．７ｍｍの初期直径および６ｍｍの拡張直径を有するときに、約７％またはそれ未満の反跳を示す、項目１〜２２のいずれかに記載のデバイス。
（項目２６）
カバーを有する前記ステントデバイスは、前記カバードステントが、１．８ｍｍの初期直径および約７ｍｍの拡張直径を有するときに、約６．７％またはそれ未満の反跳を示す、項目１〜２２のいずれかに記載のデバイス。
（項目２７）
ステントデバイスであって、
共通の長手方向軸に沿って直列に配列され、複数の相互接続部材によって連結される、複数の半径方向に拡張可能なリングを備えるステントであって、前記複数の半径方向に拡張可能なリングは、それぞれ複数の反復湾曲区分を備え、各反復湾曲区分は、山および谷を備え、隣接する拡張可能なリングの前記山および谷は、第１の拡張可能なリングの前記山が、前記第１の拡張可能なリングに隣接する第２の拡張可能なリングの前記谷と長手方向に整列するように角度オフセットを備える、ステントと、
発泡ポリテトラフルオロエチレンから形成され、内層と外層とを備えるカバーであって、前記ステントを被包してカバードステントを形成する、カバーと、
を備え、
前記カバードステントデバイスは、動作可能な展開直径に拡張されるときに約６％またはそれ未満の短縮を示す、ステントデバイス。
（項目２８）
隣接する拡張可能なリングの間の相互接続部材の数量は、前記隣接する拡張可能なリングのそれぞれの間の谷の数量と等しい、項目２７に記載のステントデバイス。
（項目２９）
前記相互接続部材のそれぞれは、伸長部分と、第１の連結端と、第２の連結端とを有し、前記第１の連結端、前記伸長部分、および前記第２の連結端は、第１の配向または第２の配向で組み合わさり、前記第２の配向は、前記第１の配向の実質的に鏡像である、項目２７または２８に記載のステントデバイス。
（項目３０）
第１の２つの隣接する拡張可能なリングのセットの前記相互接続部材は、前記第１の配向のものであり、第２の２つの隣接する拡張可能なリングのセットの前記相互接続部材は、前記第２の配向のものであり、前記第２の２つの隣接する拡張可能なリングのセットの前記拡張可能なリングのうちの１つだけが、前記第１の２つの隣接する拡張可能なリングのセットと共有される、項目２９に記載のステントデバイス。
（項目３１）
相互接続部材は、前記ステントの長さに沿って直列に配列され、相互接続部材が前記拡張可能なリングに接続する位置またはその近接に変曲点を有する正弦波の形を形成する、項目３０に記載のステントデバイス。
（項目３２）
前記カバードステントデバイスは、動作可能な展開直径に拡張されるときに約３％またはそれ未満の短縮を示す、項目２７〜３１のいずれかに記載のステントデバイス。
（項目３３）
前記カバードステントデバイスは、動作可能な展開直径に拡張されるときに約２％またはそれ未満の短縮を示す、項目２７〜３１のいずれかに記載のステントデバイス。
（項目３４）
前記カバードステントデバイスは、動作可能な展開直径に拡張されるときに約１％またはそれ未満の短縮を示す、項目２７〜３１のいずれかに記載のステントデバイス。
（項目３５）
前記カバードステントデバイスは、動作可能な展開直径に拡張されるときに約０％またはそれ未満の短縮を示す、項目２７〜３１のいずれかに記載のステントデバイス。
（項目３６）
前記動作可能な展開直径は、約４ｍｍ〜約８ｍｍ、より好ましくは、約５ｍｍ〜約７ｍｍである、項目１〜３５のいずれかに記載のステントデバイス。
（項目３７）
前記複数の湾曲区分のそれぞれは、１つの山および１つの谷を備える、項目１〜３６のいずれかに記載のステントデバイス。
（項目３８）
前記複数の湾曲区分内では、前記複数の湾曲区分の前記山および前記谷が、前記複数の湾曲区分内での唯一の山および谷である、項目１〜３６のいずれかに記載のステントデバイス。
（項目３９）
ステントデバイスを製造する方法であって、
複数の反復湾曲区分によってそれぞれ形成される複数の概して円筒状のリングを提供するステップであって、前記複数の湾曲区分のそれぞれが、山、谷、および前記山と前記谷との間をつなげる移行領域を備え、各湾曲区分は、前記移行領域上の前記山と前記谷との間の実質的に中間に中間点を有し、前記複数のリングは、長手方向軸に沿って直列に、前記直列の各リングの各湾曲区分の前記山および前記谷が直接隣接するリングにおける対応する曲線区分の山および谷の実質的に鏡像であるように配列される、ステップと、
複数の相互接続部材を提供するステップと、
を含み、
前記複数の相互接続部材はそれぞれ、
第１の連結端と、
前記第１の連結端の反対側の第２の連結端と、
前記第１の連結端と前記第２の連結端との間に延在する伸長部分であって、前記第１の連結端、前記伸長部分、および前記第２の連結端は、第１の配向、または前記第１の配向の実質的に鏡像である第２の配向で組み合わさる、伸長部分と、
を備え、
前記第１の連結端は、前記複数のリングのうちのあるリングの湾曲区分の前記移行領域の前記中間点と交差し、前記第２の連結端は、前記複数のリングのうちの異なるかつ直接隣接するリングの湾曲区分の前記中間点と交差し、
前記複数の相互接続部材は、前記デバイスに沿って長手方向に延在する列に配列され、
前記列のそれぞれに沿って、前記相互接続部材は、各連続する発生にて前記第１の配向と第２の配向とが交互になる、方法。
（項目４０）
前記複数の相互接続部材のそれぞれの前記第１の連結端および前記第２の連結端はそれぞれ、屈曲部を備える、項目３９に記載の方法。
（項目４１）
前記複数のリングのうちの任意の２つの隣接するリングの間の相互接続部材の数は、前記複数のリングの各リング中の反復湾曲区分の数と等しい、項目３９〜４０のいずれかに記載の方法。
（項目４２）
前記複数の相互接続部材のそれぞれの前記第１の連結端および前記第２の連結端は、方位角によって整列される、項目３９〜４１のいずれかに記載の方法。
（項目４３）
前記複数の相互接続部材のそれぞれの前記第１の連結端および前記第２の連結端は、円周方向に整列される、項目３９〜４２のいずれかに記載の方法。
（項目４４）
前記複数のリングのそれぞれは、独立して、半径方向に拡張可能である、項目３９〜４３のいずれかに記載の方法。
（項目４５）
前記複数の反復湾曲区分は、概して正弦波のパターンを形成する、項目３９〜４４のいずれかに記載の方法。
（項目４６）
山−谷振幅は、前記複数のリングのそれぞれについて実質的に等しい、項目３９〜４５のいずれかに記載の方法。
（項目４７）
山−谷振幅は、前記複数のリングのそれぞれについて測定される平均振幅の許容範囲内であり、前記許容範囲は、前記平均振幅の２０％、前記平均振幅の１５％、前記平均振幅の１０％、または前記平均振幅の５％である、項目３９〜４５のいずれかに記載の方法。
（項目４８）
前記複数の湾曲区分のそれぞれは、実質的に均一の幅を有する、項目３９〜４７のいずれかに記載の方法。
（項目４９）
前記複数の湾曲区分の全ては、実質的に同一の実質的に均一の幅を有する、項目３９〜４８のいずれかに記載の方法。
（項目５０）
前記複数の相互接続部材のうちの１つまたはそれを上回るものは、実質的に均一の幅を有していない、項目３９〜４７のいずれかに記載の方法。
（項目５１）
前記複数の湾曲区分のそれぞれは、前記複数の湾曲区分の平均厚さの許容範囲内の幅を有し、前記許容範囲は、前記平均厚さの２０％、前記平均厚さの１５％、前記平均厚さの１０％、または前記平均厚さの５％である、項目３９〜４７のいずれかに記載の方法。
（項目５２）
前記複数の湾曲区分の全ては、前記複数の湾曲区分の全ての平均厚さの許容範囲内の幅を有し、前記許容範囲は、前記平均厚さの２０％、前記平均厚さの１５％、前記平均厚さの１０％、または前記平均厚さの５％である、項目３９〜４７および５１のいずれかに記載の方法。
（項目５３）
前記ステントデバイス上にカバーを提供することをさらに含み、前記カバーは、前記複数のリングの長さの全体を実質的に被覆する、項目３９〜５２のいずれかに記載の方法。
（項目５４）
前記カバーは、発泡ポリテトラフルオロエチレン（ｅＰＴＦＥ）を含む、項目５３に記載の方法。
（項目５５）
前記カバーは、１つまたはそれを上回るカバー材料、１つまたはそれを上回るコーティング、または両方を備える、項目５３に記載の方法。
（項目５６）
前記複数のリングは、非生分解性合金、ステンレス鋼、またはコバルトクロムのうちの１つまたはそれを上回るものから構成される、項目３９〜５５のいずれかに記載の方法。
（項目５７）
図３Ａに示されるように配列される複数の相互接続部材によってともに連結される、複数の半径方向に拡張可能なリングを備える、ステントデバイス。
（項目５８）
任意の動作可能な組み合わせでの、項目１〜３８および５７のいずれかに記載のステントデバイス。
（項目５９）
任意の動作可能な組み合わせにおける、項目３９〜５６のいずれかに記載の方法。
（項目６０）
ステントデバイスを取り付ける方法であって、
項目１〜３８または５７のいずれかに記載のステントデバイスを部位に送達するステップと、
前記ステントデバイスを第１の直径から前記第１の直径よりも大きい第２の直径に拡張するステップと、
を含む、方法。
（項目６１）
前記部位は、内腔である、項目６０に記載の方法。
（項目６２）
前記内腔は、管である、項目６１に記載の方法。
（項目６３）
前記管は、生存または非生存哺乳類の血管である、項目６１に記載の方法。
（項目６４）
前記拡張するステップは、インフレータブルバルーン膜の使用を介して発生する、項目６０〜６３のいずれかに記載の方法。
（項目６５）
前記第２の直径は、動作可能な展開直径であり、前記第１の直径は、前記動作可能な展開直径の半分よりも小さい、項目６０〜６４のいずれかに記載の方法。
（項目６６）
前記動作可能な展開直径は、約４ｍｍ〜約８ｍｍ、より好ましくは、約５ｍｍ〜約７ｍｍである、項目６５に記載の方法。
（項目６７）
前記カバードステントデバイスは、前記第２の直径に拡張されると約６％またはそれ未満の短縮を示す、項目６０〜６６のいずれかに記載の方法。
（項目６８）
前記カバードステントデバイスは、前記第２の直径に拡張されると約３％またはそれ未満の短縮を示す、項目６７に記載の方法。
（項目６９）
前記カバードステントデバイスは、前記第２の直径に拡張されると約２％またはそれ未満の短縮を示す、項目６８に記載の方法。
（項目７０）
前記カバードステントデバイスは、前記第２の直径に拡張されると約１％またはそれ未満の短縮を示す、項目６９に記載の方法。
（項目７１）
前記カバードステントデバイスは、前記第２の直径に拡張されると約０％またはそれ未満の短縮を示す、項目７０に記載の方法。